(57)【要約】【課題】記録用紙に形成される裁断用のマークの位置に応じて所定の位置にパンチ穴を形成することが可能な画像形成装置及びパンチ穴位置調整方法を提供すること。【解決手段】記録用紙に前記画像データに基づく画像を形成するときに、画像に対する所定の位置に所定のマークを形成するようにマークデータを合成するマークデータ合成手段１０１と、画像形成手段により形成されたマークの位置を検知するマーク検知手段９０と、マーク検知手段によって検知されたマークの位置に対する所定の位置を求める演算手段１０２と、求めたマークの位置に対する所定の位置にパンチ穴を形成するようにパンチユニット２２１の位置を調整し、パンチ穴を形成させる。【選択図】図３
2007153592.tif 000002
【特許請求の範囲】
【請求項１】
記録用紙に画像データに基づいて画像を形成した後に、記録用紙にパンチ穴を形成する位置調整可能なパンチ穴あけ手段を備える画像形成装置であって、
前記記録用紙に前記画像データに基づく画像を形成するときに、該画像に対する所定の位置にマークを形成するマーク形成手段と、
前記形成されたマークの記録用紙に対する位置を検知する検知手段と、
前記検知手段によって検知されたマークの位置と基準位置との差を取得する取得手段と、を備え、
前記差に基づいて位置調整されたパンチ穴あけ手段によりパンチ穴の形成を行うことを特徴とする画像形成装置。
【請求項２】
前記取得手段は、
前記パンチ穴あけ手段が予め定められた位置にあるときに形成されるパンチ穴の位置を基準位置として予め記憶する記憶手段を備え、
前記検知手段によって検知されたマークの位置に対するパンチ穴の位置を求め、該パンチ穴の位置の前記基準位置に対するズレ方向及びズレ量を前記差として取得する請求項１に記載の画像形成装置。
【請求項３】
記録用紙に画像データに基づいて画像を形成した後に、記録用紙にパンチ穴を形成する位置調整可能なパンチ穴あけ手段を備える画像形成装置であって、
前記記録用紙に形成される画像に対する所定の位置となるようなマークを有する画像を記録用紙に形成するマーク形成手段と、
前記マークを有する画像が形成された記録用紙の所定の位置に前記パンチ穴あけ手段によって仮のパンチ穴を形成させる手段と、
前記記録用紙に形成されたパンチ穴の記録用紙に対する位置を検知する第１の検知手段と、
前記形成されたマークの記録用紙に対する位置を検知する第２の検知手段と、
前記第２の検知手段によって検知されたマークの位置に対する所定の位置を求め、該所定の位置の前記第１の検知手段によって検知されたパンチ穴の位置に対するズレ方向及びズレ量を取得する取得手段と、
前記取得したズレ方向及びズレ量を記憶する記憶手段と、を備え、
前記記憶されたズレ方向及びズレ量に基づいて位置調整されたパンチ穴あけ手段によりパンチ穴の形成を行うことを特徴とする画像形成装置。
【請求項４】
前記マークは、前記記録用紙を所定のサイズ裁断するためのガイドとなるマークである請求項１乃至請求項３のいずれかに記載の画像形成装置。
【請求項５】
記録用紙に画像データに基づいて画像を形成した後に、位置調整可能なパンチ穴あけ手段により記録用紙に形成されるパンチ穴の位置を調整するパンチ穴位置調整方法であって、
前記記録用紙に前記画像データに基づく画像を形成するときに、該画像に対する所定の位置にマークを形成する段階と、
前記形成されたマークの記録用紙に対する位置を検知する段階と、
前記検知されたマークの位置と基準位置との差を取得する段階と、
前記差に基づいて前記パンチ穴あけ手段の位置調整を行い、パンチ穴の形成を行う段階と、を含むことを特徴とするパンチ穴位置調整方法。
【請求項６】
記録用紙に画像データに基づいて画像を形成した後に、位置調整可能なパンチ穴あけ手段により記録用紙に形成されるパンチ穴の位置を調整するパンチ穴位置調整方法であって、
前記記録用紙に形成される画像に対する所定の位置となるようなマークを有する画像を記録用紙に形成する段階と、
前記マークを有する画像が形成された記録用紙の所定の位置に前記パンチ穴あけ手段によって仮のパンチ穴を形成させる段階と、
前記記録用紙に形成されたパンチ穴の記録用紙に対する位置を検知する段階と、
前記形成されたマークの記録用紙に対する位置を検知する段階と、
前記検知されたマークの位置に対する所定の位置を求め、該所定の位置の前記検知されたパンチ穴の位置に対するズレ方向及びズレ量を取得する段階と、
前記取得したズレ方向及びズレ量を記憶する段階と、
前記記憶されたズレ方向及びズレ量に基づいて前記パンチ穴あけ手段の位置調整を行い、パンチ穴の形成を行う段階とを含むことを特徴とするパンチ穴位置調整方法。
【発明の詳細な説明】
【技術分野】
【０００１】
本発明は、画像形成装置、及び、画像形成装置におけるパンチ穴位置調整方法排紙モードの切換え方法に関し、記録用紙に形成された所定のマークの位置を検知することにより所定の位置となるようにパンチ穴をあける技術に関する。
【背景技術】
【０００２】
近年、プリンタ用の後処理装置（製本手段）が多く考案されており、プリンタで作成した印刷物に対し、パンチ穴あけ加工、ステイプル加工、中折り・中綴じ加工などの処理を行うことが可能となっている。
【０００３】
ところで、後処理装置が行う処理の中でパンチ穴あけ加工は、所定の位置に穴を形成するものである。例えば、そのパンチ穴を用いて綴じる場合、そのパンチ穴形成位置（単に穴位置ということがある）がばらついてしまうと、綴じた後に各ページで端面が合わずばらばらになってしまう。見た目が悪いばかりか、冊子としての価値も下がってしまう。したがって、穴位置には高い精度が要求される。
【０００４】
そこで、このパンチ穴を形成する位置の調整を、実際に記録用紙に形成されたパンチ穴の位置を計測して、基準位置とのズレ量からその調整値を決定して、この調整値を操作パネルからの手入力によって入力することで、これが不揮発ＲＡＭに記憶され、これ以後、パンチ穴を形成する際には、この不揮発ＲＡＭに記憶された調整値に基づいて、自動的に、パンチ穴の位置調整がなされるものがあった。
【０００５】
しかしながら、画像を形成する記録用紙には、Ａ３・Ａ４・Ｂ４・Ｂ５等、複数のサイズがあるため、これらのサイズ毎に前述したパンチ穴の形成位置の調整を行うことは、非常に煩わしく困難なことであったため、記録用紙に対して所定の位置にパンチ穴を形成し、そのパンチ穴が形成された記録用紙のパンチ穴の位置を読み取り、予め記憶しておいた記録用紙に対するパンチ穴の基準位置と比較することにより、パンチ穴の位置調整を行うものがある（例えば、特許文献１参照。）。
【０００６】
一方、近年、電子写真方式のカラーレーザープリンタやスキャナ・コピア・ファクシミリ等の機能を有する複合機（以下、まとめてカラーレーザープリンタと称する）は、近年におけるカラーレーザープリンタの高画質化、さらには安価にかつ高速に高品位のカラー画像が出力可能となってきたことを反映して、小ロット印刷等における最終印刷物の作成用途にも使用されるようになってきた。このような用途においては画像形成を終えた記録用紙を裁断して製本したり綴じたりされる。つまり、用いられる記録用紙は、裁断して定型サイズとなるように、上記したＡ３・Ａ４・Ｂ４・Ｂ５等の定型サイズよりやや大きい定形外のサイズの記録用紙が用いられている。また、裁断のガイドに用いるマークが四隅に形成される。
【０００７】
ところで、画像形成のときに、記録用紙がカラーレーザープリンタ内部で斜め搬送されてしまい、その結果、記録用紙に対して画像が斜めに形成されてしまうことがある。この場合、上述のマークも記録用紙に対して斜めに形成される。ところが、パンチ穴が記録用紙に対して所定の位置に形成されるように調整されていれば、マークは、パンチ穴に対して斜めに形成される。したがって、マークを用いて裁断した場合には、裁断後の外形に対しパンチ穴は斜めになってしまう。
【０００８】
【特許文献１】特開２００３−２４６５４８号公報
【発明の開示】
【発明が解決しようとする課題】
【０００９】
したがって、裁断して綴じると、綴じ方向が斜めになってしまう。また、記録用紙の反りや端面の状態によって斜めの角度がばらつけば、上述の穴位置がばらついてしまう場合と同様に裁断して綴じた後に各ページで端面が合わずばらばらになってしまう。
【００１０】
本発明は、このような事情に鑑みてなされたもので、記録用紙に形成されるマークの位置に応じて所定の位置にパンチ穴を形成することが可能な画像形成装置及びパンチ穴位置調整方法を提供することを目的としている。
【課題を解決するための手段】
【００１１】
上記目的を達成するために、請求項１に記載の発明は、記録用紙に画像データに基づいて画像を形成した後に、記録用紙にパンチ穴を形成する位置調整可能なパンチ穴あけ手段を備える画像形成装置であって、前記記録用紙に前記画像データに基づく画像を形成するときに、該画像に対する所定の位置にマークを形成するマーク形成手段と、前記形成されたマークの記録用紙に対する位置を検知する検知手段と、前記検知手段によって検知されたマークの位置と基準位置との差を取得する取得手段と、を備え、前記差に基づいて位置調整されたパンチ穴あけ手段によりパンチ穴の形成を行うことを特徴とする。
【００１２】
また、請求項２に記載の発明は、前記取得手段は、前記パンチ穴あけ手段が予め定められた位置にあるときに形成されるパンチ穴の位置を基準位置として予め記憶する記憶手段を備え、前記検知手段によって検知されたマークの位置に対するパンチ穴の位置を求め、該パンチ穴の位置の前記基準位置に対するズレ方向及びズレ量を前記差として取得することを特徴とする。
【００１３】
また、請求項３に記載の発明は、記録用紙に画像データに基づいて画像を形成した後に、記録用紙にパンチ穴を形成する位置調整可能なパンチ穴あけ手段を備える画像形成装置であって、前記記録用紙に形成される画像に対する所定の位置となるようなマークを有する画像を記録用紙に形成するマーク形成手段と、前記マークを有する画像が形成された記録用紙の所定の位置に前記パンチ穴あけ手段によって仮のパンチ穴を形成させる手段と、前記記録用紙に形成されたパンチ穴の記録用紙に対する位置を検知する第１の検知手段と、前記形成されたマークの記録用紙に対する位置を検知する第２の検知手段と、前記第２の検知手段によって検知されたマークの位置に対する所定の位置を求め、該所定の位置の前記第１の検知手段によって検知されたパンチ穴の位置に対するズレ方向及びズレ量を取得する取得手段と、前記取得したズレ方向及びズレ量を記憶する記憶手段と、を備え、前記記憶されたズレ方向及びズレ量に基づいて位置調整されたパンチ穴あけ手段によりパンチ穴の形成を行うことを特徴とする。
【００１４】
また、請求項４に記載の発明は、前記マークは、前記記録用紙を所定のサイズ裁断するためのガイドとなるマークであることを特徴とする。
【００１５】
また、請求項５に記載の発明は、記録用紙に画像データに基づいて画像を形成した後に、位置調整可能なパンチ穴あけ手段により記録用紙に形成されるパンチ穴の位置を調整するパンチ穴位置調整方法であって、前記記録用紙に前記画像データに基づく画像を形成するときに、該画像に対する所定の位置にマークを形成する段階と、前記形成されたマークの記録用紙に対する位置を検知する段階と、前記検知されたマークの位置と基準位置との差を取得する段階と、前記差に基づいて前記パンチ穴あけ手段の位置調整を行い、パンチ穴の形成を行う段階と、を含むことを特徴とする。
【００１６】
また、請求項６に記載の発明は、記録用紙に画像データに基づいて画像を形成した後に、位置調整可能なパンチ穴あけ手段により記録用紙に形成されるパンチ穴の位置を調整するパンチ穴位置調整方法であって、前記記録用紙に形成される画像に対する所定の位置となるようなマークを有する画像を記録用紙に形成する段階と、前記マークを有する画像が形成された記録用紙の所定の位置に前記パンチ穴あけ手段によって仮のパンチ穴を形成させる段階と、前記記録用紙に形成されたパンチ穴の記録用紙に対する位置を検知する段階と、前記形成されたマークの記録用紙に対する位置を検知する段階と、前記検知されたマークの位置に対する所定の位置を求め、該所定の位置の前記検知されたパンチ穴の位置に対するズレ方向及びズレ量を取得する段階と、前記取得したズレ方向及びズレ量を記憶する段階と、前記記憶されたズレ方向及びズレ量に基づいて前記パンチ穴あけ手段の位置調整を行い、パンチ穴の形成を行う段階とを含むことを特徴とする。
【発明の効果】
【００１７】
本発明に係る画像形成装置及びパンチ穴位置調整方法によれば、上述したように画像を基準にしてマークを形成し、そのマークの位置に応じてパンチ穴あけ手段の位置を調整してパンチ穴を形成することが可能となる。
【発明を実施するための最良の形態】
【００１８】
［第１の実施の形態］
（装置構成）
以下、本実施の形態の画像形成装置１を、画像データに基づいてＣはシアン（青緑色）、Ｍはマゼンタ（赤紫色）、Ｙはイエロー（黄色）、Ｋはブラック（黒色）の各基本色の画像を重ね合わせて形成することによりカラー画像を形成するものを一例として説明する。
【００１９】
先ず、本発明に係る第１の実施の形態の画像形成装置１の概略構成について、図１を参照して説明する。図１は、画像形成装置１の概略機械構成を示す断面図である。
【００２０】
図１に示すように、画像形成装置１は、画像読取部ＳＣと、画像形成手段としての給紙部４０、作像部１０Ｙ、１０Ｍ、１０Ｃ、１０Ｋ（纏めて作像部１０ということがある、他のＹ，Ｍ，Ｃ及びＫを付して示すものも同様）、中間転写体ユニット７、定着部５０、切換部７０、反転排紙部３０及び反転給紙部８０と、排紙部６０と、後処理部２０５とを含んで構成される。
【００２１】
画像読取部ＳＣは、複写機の上部に位置し、自動原稿送り装置２０１と原稿画像走査露光装置２０２からなり、自動原稿送り装置２０１により搬送される原稿ｄの画像が原稿画像走査露光装置２０２の光学系により撮像素子であるラインイメージセンサＣＣＤにより読取られ、アナログ信号に光電変換される。
【００２２】
ラインイメージセンサＣＣＤにより光電変換されたアナログ信号は、後述する図示しない画像処理部において、アナログ処理、Ａ／Ｄ変換、シェーディング補正、画像圧縮処理等が行われることにより、いわゆるビットマップグラフィックスと呼ばれ、横方向に所定の間隔（解像度）で配置された複数の画素（画素をｄｏｔ（ドット）ということがある）で１ラインを構成し、さらにラインが縦方向に所定の間隔で並べられ、各画素が濃度で示される描画情報により示すラスターデータである画像データが作成され、後述の入力部１０３に送られる。
【００２３】
作像部（作像手段）１０Ｙ、１０Ｍ、１０Ｃ、１０Ｋは鉛直方向に縦列配置されており、感光体ドラム１Ｙ、１Ｍ、１Ｃ、１Ｋの図示左側にはローラ７１、７２、７３、７４を巻回して回動可能に張架された半導電性エンドレスベルト状の中間転写体７が配置されている。また、中間転写体７は中間転写体駆動ローラ７１により中間転写体駆動ローラ７１に接続された図示しない駆動装置により矢印方向に搬送されている。
【００２４】
イエロー色の画像を形成する作像部１０Ｙは、感光体ドラム１Ｙ、帯電手段２Ｙ、レーザ露光ユニット３Ｙ、現像手段４Ｙ、１次転写ローラ５Ｙ、クリーニング手段６Ｙ及び図示しないイレーサを有する。
【００２５】
感光体ドラム１Ｙは回転体であり、図示しない駆動手段によって駆動され矢印方向に回転する。また、感光体ドラム１Ｙの周囲には１次転写ローラ５Ｙを起点として感光体ドラム１Ｙの回転方向に沿って、クリーニング手段６Ｙ、図示しないイレーサ、帯電手段２Ｙ、及び現像手段４Ｙが配置されている。また、レーザ露光ユニット３Ｙは、帯電手段２Ｙと現像手段４Ｙとの間に位置する。そして、イレーサで感光体ドラム１Ｙの表面を除電した後、帯電手段２Ｙにより所定の極性で所定の電位に一様に帯電させて、レーザ露光ユニット３Ｙによりレーザ光を走査することにより静電潜像を形成する。そして、静電潜像を現像手段４Ｙによって現像しトナー像を形成する。
【００２６】
レーザ露光ユニット３Ｙは、画像データに基づいて図示しないレーザダイオードを変調し、矢印方向に回転する感光体ドラム１Ｙ上にその回転方向に対し直角方向にレーザ光を走査するものである。また、このレーザ光の走査方向を主走査方向、感光体ドラム１Ｙの回転方向を副走査方向という。
【００２７】
また、マゼンタ色の画像を形成する作像部１０Ｍは、同様に、感光体ドラム１Ｍ、帯電手段２Ｍ、レーザ露光ユニット３Ｍ、現像手段４Ｍ、１次転写ローラ５Ｍ、クリーニング手段６Ｍ及び図示しないイレーサを有する。
【００２８】
また、シアン色の画像を形成する作像部１０Ｃは、同様に、感光体ドラム１Ｃ、帯電手段２Ｃ、レーザ露光ユニット３Ｃ、現像手段４Ｃ、１次転写ローラ５Ｃ、クリーニング手段６Ｃ及び図示しないイレーサを有する。
【００２９】
また、黒色の画像を形成する作像部１０Ｋは、同様に、感光体ドラム１Ｋ、帯電手段２Ｋ、レーザ露光ユニット３Ｋ、現像手段４Ｋ、１次転写ローラ５Ｋ、クリーニング手段６Ｋ及び図示しないイレーサを有する。
【００３０】
１次転写ローラ５Ｙ、５Ｍ、５Ｃ、５Ｋは、画像の種類に応じて選択的に作動するように制御されてそれぞれ対応する感光体ドラム１Ｙ、１Ｍ、１Ｃ、１Ｋに中間転写体７を押圧し、トナー像を中間転写体７側に転写させる。
【００３１】
このようにして、作像部１０Ｙ、１０Ｍ、１０Ｃ、１０Ｋにより感光体ドラム１Ｙ、１Ｍ、１Ｃ、１Ｋに形成された各色の画像は、１次転写ローラ５Ｙ、５Ｍ、５Ｃ、５Ｋにより、回動する中間転写体７上に逐次転写されて、合成されたカラー画像が形成される。また、作像部１０Ｋにより感光体ドラム１Ｋに形成された黒色の画像のみを、１次転写ローラ５Ｋにより、回動する中間転写体７上に転写することにより、モノクロ画像を形成する。
【００３２】
さらに、ローラ７２に対し中間転写体７をはさんで対向するローラ７２に圧接される２次転写ローラ５Ａを備える。この２次転写ローラ５Ａは、ここを記録用紙が通過して２次転写が行われるときにのみ、中間転写体７及び記録用紙を介しローラ７２に圧接され、中間転写体７上に形成された画像は記録用紙側に転写される。
【００３３】
一方、給紙部４０は、複数の給紙トレイ４１（図では、４１ａ、４１ｂ、及び、４１ｃの２つ）を備えている。そして、記録用紙はいずれかの給紙トレイ４１から図示しない駆動手段により駆動される給紙ローラ対４２（図では、４２ａ、及び、４２ｂの２つ）により選択的に１枚ずつ給紙・搬送され、記録用紙の先端がレジストローラ対２３に達したら一旦停止される。
【００３４】
さらに、図示しない駆動手段により駆動されるループローラ対２２Ｄにより、ループローラ対２２Ｄとレジストローラ対２３の間で記録用紙によるループが形成され、記録用紙は、所定のタイミングをとってレジストローラ対２３により搬送され、２次転写ローラ５Ａの中間転写体７への圧接位置へ送られる。
【００３５】
そして、上述したように、２次転写ローラ５Ａの中間転写体７への圧接位置で記録用紙に画像が転写され、さらに、記録用紙は定着部５０へ送られる。
【００３６】
定着部５０（定着手段）は、図示しないヒータ等の熱源を含み、その熱源により加熱される定着ローラ（加熱ローラ）５２と、図示しない付勢手段としての加圧ローラ押圧手段により定着ローラ５２に対して押圧され、定着ローラ５２とともに記録用紙を挟持する加圧ローラ５１とで主に構成されている。そして、図示しない駆動手段により駆動される定着ローラ５２と加圧ローラ５１とで記録用紙を搬送し、加熱することでトナー像を記録用紙に定着し、記録用紙を定着部５０から切換部７０に出力する。
【００３７】
切換部７０は、記録用紙の搬送方向を排紙部６０または反転排紙部３０に切り換えるために、切換ガイドソレノイド（図示せず）により動作する切換ガイド７１を備えている。
【００３８】
反転排紙部３０は、搬送ローラ対３１、３３を備えている。搬送ローラ対３１、３３は、図示しない駆動手段により駆動され、記録用紙を搬送する。そして、反転排紙部３０は、記録用紙を排紙部６０方向に切換えて搬送することにより、記録用紙の表裏を反転し、排紙することになる。また、さらに裏面にプリントを行う場合には、搬送ローラ対３１、３３により記録用紙を更に搬送し、反転給紙部８０に送る。
【００３９】
反転給紙部８０は、反転給紙ガイド８２、搬送ローラ対８１、８３、８４及び８５を備えている。搬送ローラ対８１、８３、８４及び８５は、図示しない駆動手段により駆動され、記録用紙を搬送する。反転給紙ガイド８２は、記録用紙を搬送ローラ対８３方向にガイドする。そして、反転給紙部８０は、記録用紙を反転給紙ガイド８２から搬送ローラ対８１の方向に搬送し、記録用紙の後端が反転給紙ガイド８２を通過したら、搬送方向を切換え、記録用紙は、反転給紙ガイド８２にガイドされて、搬送ローラ対８３方向に搬送され、反転ローラ８６により記録用紙の表裏が反転されて、さらにレジストローラ対２３方向に搬送される。これにより、記録用紙の裏面に再び作像部１０で画像形成が行われることになる。
【００４０】
排紙部６０は、図示しない駆動手段により駆動される搬送ローラ対６１を備えている。そして、排紙部６０は、定着部５０側から搬送される記録用紙または反転排紙部３０側から搬送される記録用紙を受けて後処理部２０５に送る。
【００４１】
後処理部２０５は、排紙ローラ対６１により搬送された記録用紙を載置台２１３に積載して、パンチユニット２２１（パンチ穴あけ手段）によりパンチ穴あけ加工を行い、排紙トレイ２５に排紙する。
【００４２】
また、後処理部２０５は、記録用紙の搬送方向の端面を整合するための整合板２１１、及び、記録用紙の搬送方向と直交する方向の端面を整合するための整合板２１２、及び、パンチ穴及び後述のマークを読み取るためのマーク読取手段９１を備えている。
【００４３】
さらに、後処理部２０５について図２を用いて説明する。図２は、パンチ穴あけ加工について説明するための図で、載置台２１３を上から見た図である。パンチユニット２２１は、通常は図に示すような待機位置に位置して、記録用紙にパンチ穴形成を行うときに図示しない移動手段２２２（図３参照）により移動される。図２に示すように、搬送方向の前後方向、左右方向に移動可能で、さらに載置台２１３に平行に回転可能となっている。すなわち、この移動手段２２２により位置調整が可能となっている。また、整合板２１１、２１２による記録用紙の整合は、例えば図示しないが、整合板２１１、２１２とそれぞれ記録用紙を挟んで対向し、図示しない移動手段により整合板２１１、２１２方向にそれぞれ移動可能な押圧板を備え、その押圧板の移動によって記録用紙の各端面を突き当てることにより行う。したがって、整合手段２１０は、整合板２１１、２１２、と上述の記録用紙の各端面を突き当てるための手段などを含んで構成されている。また、マーク読取手段９１は、図示しない移動手段を含み、通常は図に示すような待機位置に位置して、例えば、ＣＣＤラインセンサを搬送方向の前後方向（図２の破線の矢印方向）に移動することによりパンチ穴及び後述のマークを読み取る。また、ＣＣＤラインセンサは、記録用紙の搬送方向とは直角方向に配置され、記録用紙の搬送方向とは直角方向の記録用紙の幅より広い範囲を読み取り可能になっている。
【００４４】
また、後処理部２０５は、詳細を図示しないが、ステイプル加工、中折り・中綴じ加工などの処理を行うことが可能となっている。
【００４５】
また、図示しないが、本画像形成装置１には、記録用紙を検知するセンサが複数設けられ、上述の搬送の際などの制御に用いられる。
【００４６】
（制御構成）
本実施の形態は、記録用紙へのパンチ穴形成において、後述のマークを検知しその位置情報に基づいて、パンチユニット２２１を移動させて、マークに対し所定の位置にパンチ穴を形成することにより、マークに対しパンチ穴形成位置（以下、パンチ穴位置ということがある。）が斜めになってしまうことなどを防止するものである。以下、本実施の形態の制御構成の一例について説明する。図３は、制御構成を示す機能ブロック図である。ここで、上述の各部を纏めてハードウェア群１０６とする。
【００４７】
図３に示すように、本画像形成装置１の制御構成は、入力部１０３、制御部１００、及び、ハードウェア群１０６を備えている。
【００４８】
入力部１０３は、画像データや各種指示を受け付け、受け付けた画像データまたは指示情報を制御部１００送る。
【００４９】
制御部１００は、ＣＰＵ（ｃｅｎｔｒａｌ  ｐｒｏｃｅｓｓｉｎｇ  ｕｎｉｔ）等の演算制御装置によって構成され、ＲＯＭ（ｒｅａｄ−ｏｎｌｙ  ｍｅｍｏｒｙ）やハードディスクドライブ等のプログラム格納部（図示省略）に格納されたプログラムに従って画像形成装置１の各部の制御を行う制御手段である。また、そのプログラムを実行するときのワークエリアを構成するシステムメモリ（図示せず）や不揮発性ＲＡＭ（ｒａｎｄｏｍ  ａｃｃｅｓｓ  ｍｅｍｏｒｙ）などの記憶手段を含んで構成される。また、制御部１００は、マークデータ合成手段１０１、マーク位置検知手段９０、演算手段１０２、及び、基準位置記憶手段１０５を含んで構成される。
【００５０】
マークデータ合成手段１０１は、Ａ４やＢ４といった用紙の定型サイズより大きめの定形外の記録用紙に画像形成を行うときに、定形外の記録用紙の４隅の所定の位置、例えばマークが定型サイズの４隅となる位置に、十字形状のマークを形成するように、受け付けた画像データにマークデータを合成する。図４に定形外の記録用紙に形成されるマークの一例を示すが、Ｍ１〜Ｍ４の４つのマークが形成されている。また、例えば十字形状のマークを時計回りに結んでできる破線で形成される矩形は定型サイズ（例えばＡ４サイズなど）となっている。つまり、このマークに基づいて裁断を行えば、記録用紙を定型サイズに裁断することができる。すなわち、このマークは裁断するときのガイドとなる。また、画像がマークにより形成される矩形に対し所定の位置に形成されるように画像データに合成される。つまり、マークは、画像を基準とする位置に形成されるようになっている。以下では、記録用紙は定形外の記録用紙とする。
【００５１】
制御部１００は、マークデータが合成された画像データに基づいて画像を形成するようにハードウェア群１０６を制御する。ハードウェア群１０６は、制御部１００に制御され、記録用紙に画像形成を行い、記録用紙を後処理装置２０５に送り、記録用紙は載置台２１３に載置され、整合手段２１０により記録用紙の端面が整合板２１１、２１２に突き当てられて整合される。そして、マーク読取手段９１を記録用紙の搬送方向とは反対方向に移動させながら読み取りを行い、マーク位置検知手段９０に出力データとして送る。
【００５２】
本発明のマーク形成手段としては、主にマークデータ合成手段１０１、及び、作像部１０、定着部５０などの画像形成手段を含んで構成される。
【００５３】
マーク位置検知手段９０は、例えばマークの形状を記憶しておき、出力データをスキャンしてそのマーク形状のパターンとの一致／不一致を判定すること（パターンマッチング）により、一致した場合にマークとして識別し、十字形状の交点をマーク位置として検知する。ここで、マーク位置は図５に示すようにＸＹ座標平面上の座標で示す。例えば、整合板２１１、２１２により整合された状態の記録用紙の搬送方向前側のいずれかの端点（図５では右側）を原点として、搬送方向と直交するＸ軸、搬送方向に直交するＹ軸で構成されるＸＹ座標平面における座標で示す。例えば、Ｍ１〜Ｍ４のマーク位置を、Ｍ１（ｘ１、ｙ１）、Ｍ２（ｘ２、ｙ２）、Ｍ３（ｘ３、ｙ３）及びＭ４（ｘ４、ｙ４）とする。
【００５４】
一方、基準位置記憶手段１０５は、パンチ穴の基準位置を予め記憶する記憶手段である。パンチ穴の基準位置は、マーク位置と同様にＸＹ座標平面上の座標で示される。例えば、図６に基準位置の一例を示す。パンチ穴の基準位置をＰ１、Ｐ２、パンチ穴のピッチをｐとして、それぞれＰ１（Ｘ１、Ｙ１）及びＰ２（Ｘ１＋ｐ、Ｙ１）とする。また、基準位置は、記録用紙に対し所定の位置となるような位置、例えば、記録用紙が整合板２１１、２１２により整合された状態でパンチユニット２２１を待機位置から記録用紙の搬送方向とは反対方向に所定量移動させて穴あけ加工を行った場合に記録用紙に形成されるパンチ穴の位置で、記録用紙の端面から所定の距離（図ではＹ１）で、記録用紙の中央に対して均等になる位置である。且つ、記録用紙に対して画像が斜めに形成されなければ、つまり、Ｍ１（ｘ１、ｙ１）、Ｍ２（ｘ２、ｙ１）、Ｍ３（ｘ２、ｙ３）及びＭ４（ｘ１、ｙ３）となるとき、Ｍ１、Ｍ２に対し所定の位置、例えばＭ１及びＭ２を結ぶ線から例えば距離ａで、Ｐ１はＭ１及びＭ４を結ぶ線から例えば距離ｂの位置になる（Ｐ２は、Ｐ１から所定のピッチｐである。）。また、パンチユニット２２１の位置は、基準位置にパンチ穴を形成するように組み立て時に調整されている。
【００５５】
演算手段１０２は、まず、検知されたマーク位置Ｍ１、Ｍ２に対応するパンチ穴の位置Ｐ１´及びＰ２´を求める。
【００５６】
パンチ穴位置Ｐ１´及びＰ２´を、ピッチをｐ、Ｍ１及びＭ２を結ぶ線から例えば距離ａ、Ｐ１はＭ１及びＭ４を結ぶ線から例えば距離ｂの位置とし、パンチ穴位置Ｐ１´及びＰ２´のＸＹ座標平面上の座標を求める。
【００５７】
図７にＭ１〜Ｍ４、Ｐ１´及びＰ２´の位置関係を示す。図７に示すようにＭ１、Ｍ２の座標をＭ１（ｘ１、ｙ１）、Ｍ２（ｘ２、ｙ２）、Ｍ１及びＭ４を結ぶ線のＸ軸に対する角度をθ´とすると、
Ｐ１´の座標は、
（ｘ１＋（ｂ×ｃｏｓθ´−ａ×ｓｉｎθ´），ｙ１＋（ｂ×ｓｉｎθ´＋ａ×ｃｏｓθ´））、
Ｐ２´の座標は、
（ｘ１＋（ｂ×ｃｏｓθ´−ａ×ｓｉｎθ´）＋ｐ×ｃｏｓθ´，ｙ１＋（ｂ×ｓｉｎθ´＋ａ×ｃｏｓθ´）＋ｐ×ｓｉｎθ´）、
ただし、θ´＝ｔａｎ−１（ｘ２−ｘ１）／（ｙ２−ｙ１）
となる。
【００５８】
次に、パンチ穴の基準位置をＰ１、Ｐ２とＭ１及びＭ２に対応する穴位置Ｐ１´、Ｐ２´とのズレ方向及びズレ量を求める。本例では、Ｐ１とＰ１´とのＸ及びＹ方向のズレ量と、Ｐ１、Ｐ２を結ぶ線とＰ１´、Ｐ２´を結ぶ線とで形成される角度をズレ方向として求める。
Ｘ方向のズレ量は、
ｘ１＋（ｂ×ｃｏｓθ´−ａ×ｓｉｎθ´）−Ｘ１
で求められ、パンチユニット２２１をＸ軸方向に移動させる量を示し、
Ｙ方向のズレ量は、
ｙ１＋（ｂ×ｓｉｎθ´＋ａ×ｃｏｓθ´）−Ｙ１
で求められ、パンチユニット２２１をＹ軸方向に移動させる量を示す。また、Ｐ１´、Ｐ２´を結ぶ線がＸ軸となす角度θ´と、Ｐ１、Ｐ２を結ぶ線がＸ軸となす角度θと差分をズレ方向として求める。このズレ方向は、パンチユニット２２１回転させる角度を示す。本例では、θは０度であるから、求めるズレ方向は、θ´となる。
【００５９】
ここで、本発明の取得手段は、演算手段１０２及び基準位置記憶手段１０５を含んで構成される。
【００６０】
制御部１００は、移動手段２２２を制御し、まず、待機位置から記録用紙の搬送方向とは反対方向に所定量移動させ、求めたズレ量、ズレ方向に従って、パンチユニット２２１を前後左右及び回転方向に移動させる。そして、パンチユニット２２１を動作させてパンチ穴を形成する。
【００６１】
（動作態様）
本実施形態の画像出力装置１において行われる処理の手順の一例について、図８を用いて説明する。図８は、本画像形成装置の動作態様の一例を示すフローチャートである。
【００６２】
図８の手順に入る前に、本画像形成装置１の記憶部１０５には、予め基準位置が記憶されている。例えば、予めプログラムに書き込まれた基準位置が記憶されるようになっている。
【００６３】
図８に示すように、まず、入力部１０３は、画像データを受け付ける（ステップＳ１００。以下、ステップＳ１００をＳ１００と省略して表す。また、他のステップも同様に省略して表す。）。
【００６４】
入力部１０３は、受け付けた画像データを制御部１００に送り、マークデータ合成手段１０１は、画像形成を行う記録用紙のサイズに応じて、その記録用紙内で定型サイズの４隅となるようなマークデータを作成し、そのマークデータを画像データに合成する（Ｓ１０１）。
【００６５】
次に、制御部１００は、給紙部４０制御していずれかの給紙トレイ４１から記録用紙を作像部１０に給紙し、作像部１０や定着部５０を制御し、記録用紙に画像を形成するとともにマークを形成する（Ｓ１０２）。
【００６６】
さらに、制御部１００は、排紙部６０などを制御して、記録用紙を後処理部２０５に送り、記録用紙を載置台２１３に積載させ、整合手段２１０により記録用紙を整合する（Ｓ１０３）。続いて、制御部１００は、マーク読取手段９１を記録用紙の搬送方向とは反対方向に移動させながら読み取りを行い、読取結果を出力データとして受けて、制御部１００のマーク位置検知手段９０は、マーク位置を検知する（Ｓ１０４）。
【００６７】
さらに次に、演算手段１０２は、まず、検知したマーク位置に対応するパンチ穴の位置を求め、基準位置とのズレ方向、ズレ量を求める（Ｓ１０５）。
【００６８】
ここで、制御部１００は、移動手段２２２を制御し、まず、待機位置から記録用紙の搬送方向とは反対方向に所定量移動させ、求めたズレ量、ズレ方向に従って、パンチユニット２２１を前後左右及び回転方向に移動させる（Ｓ１０６）。そして、制御部１００は、パンチユニット２２１を動作させてパンチ穴を形成し（Ｓ１０７）、後処理部２０５から排紙トレイ２５に排紙する（Ｓ１０８）。
【００６９】
以上、上述したように画像を基準にしてマークを形成し、そのマークの位置に応じて所定の位置にパンチ穴を形成するので、パンチ穴の形成位置が自動的に調整されることになる。図９には、記録用紙、画像及びマークの位置関係を示し、図９（ａ）には本実施の形態に基づいてパンチ穴を形成した場合、図９（ｂ）には、記録用紙に対し所定の位置となるようにパンチ穴を形成した場合を示す。記録用紙をマークを４隅とする定型サイズに裁断した場合に、本実施の形態によれば、図９（ａ）に示すように、パンチ穴は、マークの位置に応じて所定の位置に形成されるので、裁断した後の記録用紙に対して所定の位置で、かつパンチ穴を結ぶ線と画像とが斜めに形成されることがない。これに対して、記録用紙に対し所定の位置となるようにパンチ穴を形成した場合には、図９（ｂ）に示すように、パンチ穴は、裁断した後の記録用紙に対して端面からのそれぞれのパンチ穴の位置が異なり、かつパンチ穴を結ぶ線と画像とが斜めに形成される。
【００７０】
また、少なくともズレ方向にしたがってパンチユニット２２１を回転方向に移動させることによりよれば、パンチ穴を結ぶ線と画像とが斜めに形成されることがない。
【００７１】
また、基準位置を、パンチユニット２２１が待機位置にあるときに動作させることにより形成されるパンチ穴の位置とし、そのパンチ穴の位置に対するズレ量、ズレ方向を求めて、ズレ量、ズレ方向に従ってパンチユニット２２１を前後左右及び回転方向に移動させるようにしてもよい。
【００７２】
また、パンチユニット２２１をＸＹ座標平面上の所定の位置となるように、例えば調整して組み立てておくことにより、検知したマーク位置に対応するパンチ穴の位置の座標にパンチ穴を形成するようにパンチユニット２２１を移動させるように制御してもよい。
【００７３】
また、画像形成を行う記録用紙が複数ある場合に、１つずつに対して上述した位置の調整を行いパンチ穴を形成してもよいし、また、初めの記録用紙に対して上述した位置の調整を行いパンチ穴を形成し、以降の記録用紙は、はじめの記録用紙のズレ量、ズレ方向を用いて位置の調整を行いパンチ穴を形成してもよい。
【００７４】
［第２の実施の形態］
次に、本発明に係る第２の実施の形態について説明する。なお、以下には第１の実施の形態と実質的に同様の構成については、詳細な説明を省略し、主に異なる点について述べる。
【００７５】
本実施の形態は、調整指示があった場合に、画像データに基づいて画像を形成するときに記録形成されるマークを有する画像を形成するとともにパンチ穴を形成し、マーク位置及びパンチ穴位置を検知し、検知したマーク穴位置に対応するパンチ穴位置と、検知したパンチ穴位置のズレに基づいて、パンチユニットを移動させて、形成されるパンチ穴位置を調整するようにしたものである。
【００７６】
（制御構成）
図１０は、第２の実施の形態における制御構成を示す機能ブロック図である。
【００７７】
入力部１０３は、パンチ穴位置調整指示を受け付けパンチ穴位置調整指示情報（以下略して調整指示情報という）として制御部１００送る。
【００７８】
制御部１００は、調整用画像データ作成手段１０７、マーク位置検知手段９０、穴検知手段９３、演算手段１０２、及び、移動量記憶手段１０８を含んで構成される。
【００７９】
調整用画像データ作成手段１０７は、調整指示情報を受けると、例えば定形外の記録用紙の４隅の所定の位置に形成される十字形状のマークのマークデータを含む調整用画像データを作成する。
【００８０】
制御部１００は、調整用画像データに基づいて画像を形成するようにハードウェア群１０６を制御する。ハードウェア群１０６は、制御部１００に制御され、記録用紙に画像形成を行い、記録用紙を後処理装置２０５に送り、記録用紙は載置台２１３に載置され、整合手段２１０により記録用紙の端面が整合板２１１、２１２に突き当てられて整合される。そして、移動手段２２２を制御し、例えば、待機位置から記録用紙の搬送方向とは反対方向に所定量移動させて本発明の仮のパンチ穴を形成する。さらに、マーク読取手段９１を記録用紙の搬送方向とは反対方向に移動させながら読み取りを行い、マーク位置検知手段９０及び穴位置検知手段９３に出力データとして送る。
【００８１】
本発明のマーク形成手段としては、主に調整用画像データ作成手段１０７、及び、作像部１０、定着部５０などの画像形成手段を含んで構成される。
【００８２】
マーク位置検知手段９０は、第１の実施の形態と同様にマーク位置を検知する。例えば、第１の実施の形態と同様にＭ１〜Ｍ４のマーク位置を、Ｍ１（ｘ１、ｙ１）、Ｍ２（ｘ２、ｙ２）、Ｍ３（ｘ３、ｙ３）及びＭ４（ｘ４、ｙ４）とＸＹ座標平面における座標で示す。
【００８３】
穴位置検知手段９３は、例えばパンチ穴の形状を記憶しておき、マーク位置の検知と同様にして仮のパンチ穴位置を検知する。例えば、パンチ穴位置を、それぞれＰＫ１（Ｘ１、Ｙ１）及びＰＫ２（Ｘ２、Ｙ２）とする。
【００８４】
演算手段１０２は、まず、第１の実施の形態と同様に検知されたマーク位置Ｍ１、Ｍ２に対応するパンチ穴の位置Ｐ１´及びＰ２´を求める。次に、第１の実施の形態におけるパンチ穴の基準位置をＰ１、Ｐ２に代えて検知したパンチ穴の位置ＰＫ１、ＰＫ２を用い、検知したパンチ穴の位置ＰＫ１、ＰＫ２とＭ１及びＭ２に対応する穴位置Ｐ１´、Ｐ２´とのズレ方向及びズレ量を求める。また、基準位置記憶手段１０５を備え、ＰＫ１（Ｘ１、Ｙ１）及びＰＫ２（Ｘ２、Ｙ２）を基準位置として記憶してもよい。
【００８５】
移動量記憶手段１０８は、演算手段１０２で求めたズレ方向及びズレ量を記憶する記憶手段である。また、移動量記憶手段１０８は、不揮発性ＲＡＭなどにより構成される。
【００８６】
そして、制御部１００は、パンチ穴の形成を行うときに、移動手段２２２を制御し、まず、待機位置から記録用紙の搬送方向とは反対方向に所定量移動させ、移動量記憶手段１０８に記憶されたズレ量、ズレ方向に従って、パンチユニット２２１を前後左右及び回転方向に移動させる。そして、パンチユニット２２１を動作させてパンチ穴を形成する。
【００８７】
（動作態様）
本実施形態の画像出力装置１において行われる処理の手順の一例について、図１１を用いて説明する。図１１は、本画像形成装置の動作態様の一例を示すフローチャートである。
【００８８】
図１１に示すように、まず、入力部１０３は、調整指示を受け付ける（ステップＳ２００）。
【００８９】
入力部１０３は、調整指示情報を制御部１００に送り、調整用画像データ作成手段１０７は、定形外の記録用紙の４隅の所定の位置に形成される十字形状のマークのマークデータを含む調整用画像データを作成する（Ｓ２０１）。
【００９０】
次に、制御部１００は、給紙部４０制御していずれかの給紙トレイ４１から定形外の記録用紙を作像部１０に給紙し、作像部１０や定着部５０を制御し、記録用紙に調整用画像データに基づいてマークを形成する（Ｓ２０２）。
【００９１】
さらに、制御部１００は、排紙部６０などを制御して、記録用紙を後処理部２０５に送り、記録用紙を載置台２１３に積載させ、整合手段２１０により記録用紙を整合する（Ｓ２０３）。そして、制御部１００は、移動手段２２２を制御し、まず、待機位置から記録用紙の搬送方向とは反対方向に所定量移動させ、パンチユニット２２１を動作させてパンチ穴を形成する（Ｓ２０４）。続いて、制御部１００は、マーク読取手段９１を記録用紙の搬送方向とは反対方向に移動させながら読み取りを行い、読取結果を出力データとして受けて、制御部１００のマーク位置検知手段９０は、マーク位置を検知し、穴位置検知手段９３は、パンチ穴の位置を検知する（Ｓ２０５）。
【００９２】
さらに次に、演算手段１０２は、まず、検知したマーク位置に対応するパンチ穴の位置を求め、検知したパンチ穴の位置とのズレ方向、ズレ量を求める（Ｓ２０６）。そして、移動量記憶手段１０８は、演算手段１０２で求めたズレ方向及びズレ量を記憶する（Ｓ２０７）。一方、後処理部２０５から排紙トレイ２５に排紙する（Ｓ２０８）。
【００９３】
そして、制御部１００は、パンチユニット２２１によって記録用紙にパンチ穴を形成するときに、待機位置から記録用紙の搬送方向とは反対方向に所定量移動させ、移動量記憶手段１０８に記憶したズレ量、ズレ方向に従って、パンチユニット２２１を前後左右及び回転方向に移動させ、パンチユニット２２１を動作させてパンチ穴を形成する。
【００９４】
以上、上述したようにマークが形成された画像にパンチ穴を形成して、そのマークに対応するパンチ穴の位置と形成されたパンチ穴の位置とのズレ方向及びズレ量を求め記憶し、その記憶したズレ方向及びズレ量に基づいてパンチユニットの位置を調整するので、マークに応じた所定の位置にパンチ穴が形成されるように自動的に調整されることになる。
【図面の簡単な説明】
【００９５】
【図１】本実施の形態における画像形成装置の概略機械構成を示す断面図である。
【図２】後処理部を説明するために、載置台の上側からみた図である。
【図３】第１の実施の形態の制御構成を示す機能ブロック図である。
【図４】記録用紙に形成されるマークの一例を示す図である。
【図５】ＸＹ座標平面上のマーク位置の一例を示す図である。
【図６】ＸＹ座標平面上パンチ穴の基準位置の一例を示す図である。
【図７】検知されたマーク位置に対応するパンチ穴の位置の一例を示す図である。
【図８】第１の実施の形態における動作態様の一例を示すフローチャートである。
【図９】（ａ）は第１の実施の形態に基づいてパンチ穴を形成した場合の記録用紙、画像及びマークの位置関係を、（ｂ）は、記録用紙に対し所定の位置となるようにパンチ穴を形成した場合の記録用紙、画像及びマークの位置関係を示す図である。
【図１０】第２の実施の形態の制御構成を示す機能ブロック図である。
【図１１】第２の実施の形態における動作態様の一例を示すフローチャートである。
【符号の説明】
【００９６】
１  画像形成装置
７  中間転写体ユニット
１０  作像部
２３  レジストローラ対
３０  反転排紙部
４０  給紙部
５０  定着部
６０  排紙部
７０  切換部
８０  反転給紙部
９０  マーク位置検知手段
９１  マーク読取手段
９３  穴位置検知手段
１００  制御部
１０１  マークデータ合成手段
１０２  演算手段
１０３  入力部
１０５  基準位置記憶手段
１０６  ハードウェア群
１０７  調整用画像データ作成手段
１０８  移動量記憶手段
２１０  整合手段
２１１  整合板
２１２  整合板
２１３  載置台
２２１  パンチユニット
２２２  移動手段
ＳＣ  画像読取部
【図１】
2007153592.tif 000003
【図２】
2007153592.tif 000004
【図３】
2007153592.tif 000005
【図４】
2007153592.tif 000006
【図５】
2007153592.tif 000007
【図６】
2007153592.tif 000008
【図７】
2007153592.tif 000009
【図８】
2007153592.tif 000010
【図９】
2007153592.tif 000011
【図１０】
2007153592.tif 000012
【図１１】
2007153592.tif 000013